(57)【特許請求の範囲】
【請求項１】
少なくとも２枚のパネル部材を連結して被設置部に設置すると共に、被設置部に設置された前記パネル部材上に更にパネル材を積み重ねて設置するための連結具であって、パネル部材を保持する保持体とこの保持体を回転自由に支持する支持体とが上下２組備えられると共に、前記各支持体には挿し込み部と前記挿し込み部に嵌合可能な嵌合孔が設けられ、下方側の支持体の挿し込み部を被設置部に対して挿し込むと共に、上方側の支持体の挿し込み部を下方側の支持体の嵌合孔に嵌合させるようにしていることを特徴とするパネル部材の連結具。
【請求項２】
支持体には、２個の保持体が支持されていることを特徴とする請求項１に記載のパネル部材の連結具。
【発明の詳細な説明】
【０００１】
【産業上の利用分野】
本発明は、主として２枚のパネル部材を連結すると共に、連結したパネル部材を庭園などの被設置部に簡単に設置出来るようにするための連結具に関する。
【０００２】
【従来の技術】
一般に庭園の花壇の柵を作る場合、帯状に形成した複数のパネル部材と、連結する一方のパネル部材を保持する第１保持体材及び連結する他方のパネル部材を保持する第２保持体材を連結ピンで枢着してなる所謂ヒンジ構造の連結具とを用い、連結具により連結した複数のパネル部材で花壇の周囲を囲むようにしている。
【０００３】
【発明が解決しようとする課題】
ところで以上のごとく連結具により連結されたパネル部材により、花壇の周囲を囲んで柵を形成する場合、パネル部材を花壇の地面に固定するための支柱が必要であって、従来では、別途支柱をパネル部材に固定するなどして、この支柱の下端側を地面に埋設させることで、パネル部材を地面に固定するようにしているのが一般的である。
【０００４】
しかしながら以上の方法では、連結具の他に支柱を別途用意する必要があり、それだけ部品点数が増えて、在庫管理のみならず組付け作業性が煩雑となる。
【０００５】
本発明は以上の実情に鑑みて開発したものであって、目的とするところは、パネル部材の連結並びに連結されたパネル部材の被設置場所への設置が簡単に行える連結具を提供するにある。
【０００６】
【課題を解決するための手段】
前記した目的を達成する為に、請求項１記載の発明は、少なくとも２枚のパネル部材を連結して被設置部に設置すると共に、被設置部に設置された前記パネル部材上に更にパネル材を積み重ねて設置するための連結具であって、パネル部材を保持する保持体とこの保持体を回転自由に支持する支持体とが上下２組備えられると共に、前記各支持体には挿し込み部と前記挿し込み部に嵌合可能な嵌合孔が設けられ、下方側の支持体の挿し込み部を被設置部に対して挿し込むと共に、上方側の支持体の挿し込み部を下方側の支持体の嵌合孔に嵌合させるようにしていることを特徴とするものである。
【０００７】
請求項２に記載の発明は、請求項１に記載の支持体に２個の保持体を支持したことを特徴とするものである。
【０００８】
【実施例】
以下、本発明に係る連結具の実施形態を図面に基づいて説明する。
【０００９】
図において符号１で示す連結具は、主として、花壇を囲む柵等を形成するのに用いる木製のパネル部材Ｐを連結するためのものである。
【００１０】
尚、パネル部材Ｐは木製のものに限らず、例えば合成樹脂材料から形成したものでもよいし、あるいは軽金属から形成したものでもよい。
【００１１】
連結具１は、基本的には、連結する２枚のパネル部材Ｐ中の一方のパネル部材Ｐの長さ方向一端部を保持するための第１保持体２ａと、他方のパネル部材Ｐの長さ方向一端部を保持するための第２保持体２ｂと、これら両保持体２ａ・２ｂを回転自由に支持するための支持体３とが備えられている。
【００１２】
第１保持体２ａ及び第２保持体２ｂは、図２にも示すように、パネル部材Ｐを挟持する一対の挟持片２１・２２及び両挟持片２１・２２の一端を結ぶ結合片２３を有する平面視略コ字状の保持部２４と、結合片２３の一側に一体形成された円筒状の枢支部２５とからなり、挟持片２１・２２には釘Ｔを打ち込むための釘孔２６が設けられている。
【００１３】
支持体３は平面視略十字状に形成されて、その下端には、パネル部材Ｐが設置される地面に挿し込み可能な挿し込み部４が一体に形成され、また支持体３と挿し込み部４との境界には、支持体３に挿通する枢支部２５を受け止めるためのフランジ４０が一体形成されている。
【００１４】
前記した挿し込み部４は、支持体３よりも一回り小径の平面視略十字状に形成され、且つその下端部は地面への挿し込みが容易に行えるように先細状に形成されている。
【００１５】
また図に示す実施形態では、支持体３には、前記挿し込み部４が嵌合可能な平面視十字状の嵌合孔５が設けられており、この嵌合孔５は支持体３の上端で開口している。
【００１６】
また支持体３の上端には、支持体３に挿通した枢支部２５が支持体３から抜け外れるのを防止するための円板状のキャップ６が着脱可能に取り付けられるのであって、このキャップ６の下面には、嵌合孔５の開口部位に密嵌可能な十字状の嵌合突起６１が突設され、この嵌合突起６１の嵌合孔５への密嵌により、キャップ６を支持体３の上端に組み付けるようにしている。
【００１７】
尚、以上の実施形態では連結具１を硬質の合成樹脂材料から形成しているが、これに限定されるものではなく、例えばアルミなどの軽金属材料から形成してもよい。
【００１８】
次に以上の構成から成る連結具の使用例を説明する。
【００１９】
即ち、先ず以上の構成から成る連結具１は、基本的には、図１にも示すように、支持体３に両保持体２ａ・２ｂの枢支部２５を順次挿通支持した上で、キャップ６の嵌合突起６１を嵌合孔５の開口部位に密嵌させて、キャップ６を支持体３の上端に取り付けるのである。
【００２０】
そして、以上のごとく組み立てられた連結具１によりパネル部材Ｐを連結するには、パネル部材Ｐの一端部を各保持体２ａ・２ｂにおける一対の挟持片２１・２２間に嵌め込むと共に、釘孔２６から釘Ｔを打ち込むことで、パネル部材Ｐの一端部を各保持体２ａ・２ｂに組み付けるのである。
【００２１】
斯くして以上のごとく連結具１を介して連結されたパネル部材Ｐは、支持体３に対する各保持体２ａ・２ｂの回動により、一方のパネル部材Ｐに対する他方のパネル部材Ｐの展開角度を自由に変更することが出来るのであって、以上のごとく連結具１により連結されたパネル部材Ｐを例えば庭園などの地面に設置するに際しては、連結具１の挿し込み部４を地面に挿し込むだけでよく、挿し込み部４の地面への挿し込みにより、例えば図３に示すように、パネル部材Ｐを所定の場所に簡単且つ確実に設置することが出来るし、しかも連結されたパネル部材Ｐの展開角度も任意設定することが出来るのである。
【００２２】
一方、以上の連結具１で連結されるパネル部材Ｐを上下二段に積み重ねたい場合には、下方側の連結具１−１のキャップ６を支持体３から取り外して、嵌合孔５の上端を開口させた上で、図４に示すように、上方側の連結具１−２の挿し込み部４を、下方側の連結具１−１における支持体３の嵌合孔５に嵌合させればよく、これにより、上方の連結具１−２が下方に位置する連結具１−１に結合されて、各連結具１−１・１−２に連結したパネル部材Ｐが上下二段に簡単にセッティングされるのである。
【００２３】
以上の実施形態では、両挟持片２１・２２でパネル部材Ｐを挟持するようにしたが、これに限定されるものではなく、例えば図５に示すように、両挟持片２１・２２の下端間にパネル部材Ｐを受け止めるための受け止め片２７を架設して、挟持片２１・２２間に介装されるパネル部材Ｐを受け止め片２７で受け止めるようにしてもよく、斯く構成することで,パネル部材Ｐの保持体２ａ・２ｂへの組付け作業がより一層行ない易くなる。
【００２４】
また以上の実施形態では、２つの保持体２ａ・２ｂを支持体３に回動可能に支持するようにしたが、これに限定されるものではなく、例えば図６に示すように、 ３つの保持体２０ａ・２０ｂ・２０ｃを支持体３に回動自由に支持するようにしてもよい。
【００２５】
【発明の効果】
以上のごとく請求項１記載の連結具によれば、少なくとも２枚のパネル部材を連結して被設置部に設置すると共に、被設置部に設置された前記パネル部材上に更にパネル材を積み重ねて設置するための連結具であって、パネル部材を保持する保持体とこの保持体を回転自由に支持する支持体とが上下２組備えられると共に、前記各支持体には挿し込み部と前記挿し込み部に嵌合可能な嵌合孔が設けられ、下方側の支持体の挿し込み部を被設置部に対して挿し込むと共に、上方側の支持体の挿し込み部を下方側の支持体の嵌合孔に嵌合させるようにしていることにより、
挿し込み部を所望の被設置部に挿し込むだけで、連結具を被設置部に設置して、この連結具に連結されたパネル部材を被設置部に簡単且つ確実にセッティングすることが出来るし、しかも連結されたパネル部材Ｐの展開角度も任意設定することが出来、また支持体に挿し込み部を設けたことにより、パネル部材を支持するための支柱などが不要となり、全体として在庫管理及び組付け作業性が向上するのは勿論のこと、嵌合孔に別の連結具の挿し込み部を挿し込むだけの簡単な設置作業で、連結具を二段に組み付けることが出来、この連結具に連結されるパネル部材を簡単に二段にセッティングすることが出来るに至ったのである。
【００２６】
また請求項２に記載の発明によれば、請求項１に記載の支持体に、２個の保持体を支持したことにより、請求項１に記載の発明の効果に加え、２枚のパネル部材を連結するのに好ましい連結具を提供することが出来るに至ったのである。
【図面の簡単な説明】
【図１】 連結具の斜視図。
【図２】 連結具の分解斜視図。
【図３】 連結具の使用例を示す斜視図。
【図４】 連結具を上下２段に結合する過程を示す説明図。
【図５】 連結具の別の実施形態を示す斜視図。
【図６】 連結具の別の実施形態を示す斜視図。
【符号の説明】
１ 連結具
２ａ 第１保持体
２ｂ 第2保持体
３ 支持体
４ 挿し込み部
５ 嵌合孔
６ キャップ
Ｐ パネル部材
【図１】
0004022407.tif 000002
【図２】
0004022407.tif 000003
【図３】
0004022407.tif 000004
【図４】
0004022407.tif 000005
【図５】
0004022407.tif 000006
【図６】
0004022407.tif 000007